(57)【要約】  電気泳動式反射型カラーディスプレイ（１０Ａ）は、白及び黒を表示する電気泳動表示層（１４）の上にカラーフィルタ層（１６）を備える。着色部（１Ｒ）と非着色部（Ｔ）とはカラーフィルタ層（１６）の画素内に備えられ、かつ、着色部（１Ｒ）は、Ｄ６５光源を使用して透過光にて測定された、Ｌ＊ａ＊ｂ表色系色度図における色度座標（ａ＊、ｂ＊）がある特定の数値の色相を有する。
2013141256.tif 000002
【特許請求の範囲】
【請求項１】
基板上に、電気泳動表示層と、光透過性電極層と、前記光透過性電極層の上の画素内に着色部と非着色部とを含むカラーフィルタ層と、がこの順で積層された反射型カラーディスプレイであって、
前記着色部の色相は、Ｄ６５光源を使用して透過光にて測定された、Ｌ*ａ*ｂ*表色系色度図における色度座標（ａ*、ｂ*）が「３０≦ａ*≦７０」、「−２０≦ｂ*≦２０」の各式を満たす赤色色相を備えることを特徴とする反射型カラーディスプレイ。
【請求項２】
基板上に、電気泳動表示層と、光透過性電極層と、前記光透過性電極層の上の画素内に着色部と非着色部とを含むカラーフィルタ層と、がこの順で積層された反射型カラーディスプレイであって、
前記着色部の色相は、Ｄ６５光源を使用して透過光にて測定された、Ｌ*ａ*ｂ*表色系色度図における色度座標（ａ*、ｂ*）が「−７０≦ａ*≦−３０」、「−２０≦ｂ*≦２０」の各式を満たす緑色色相を備えることを特徴とする反射型カラーディスプレイ。
【請求項３】
基板上に、電気泳動表示層と、光透過性電極層と、前記光透過性電極層の上の画素内に着色部と非着色部とを含むカラーフィルタ層と、がこの順で積層された反射型カラーディスプレイであって、
前記着色部の色相は、Ｄ６５光源を使用して透過光にて測定された、Ｌ*ａ*ｂ*表色系色度図における色度座標（ａ*、ｂ*）が「３０≦ａ*≦７０」、「−２０≦ｂ*≦２０」の各式を満たす赤色色相と、前記Ｄ６５光源を使用して前記透過光にて測定された、前記Ｌ*ａ*ｂ*表色系色度図における色度座標（ａ*、ｂ*）が「−７０≦ａ*≦−３０」、「−２０≦ｂ*≦２０」の各式を満たす緑色色相と、を備えることを特徴とする反射型カラーディスプレイ。
【請求項４】
基板上に、電気泳動表示層と、光透過性電極層と、前記光透過性電極層の上の画素内に着色部と非着色部とを含むカラーフィルタ層と、がこの順で積層された反射型カラーディスプレイであって、
前記着色部の色相は、Ｄ６５光源を使用して透過光にて測定された、Ｌ*ａ*ｂ*表色系色度図における色度座標（ａ*、ｂ*）が「−２０≦ａ*≦２０」、「−７０≦ｂ*≦−３０」の各式を満たす青色色相を備えることを特徴とする反射型カラーディスプレイ。
【請求項５】
基板上に、電気泳動表示層と、光透過性電極層と、前記光透過性電極層の上の画素内に着色部と非着色部とを含むカラーフィルタ層と、がこの順で積層された反射型カラーディスプレイであって、
前記着色部の色相は、Ｄ６５光源を使用して透過光にて測定された、Ｌ*ａ*ｂ*表色系色度図における色度座標（ａ*、ｂ*）が「−２０≦ａ*≦２０」、「３０≦ｂ*≦７０」の各式を満たす黄色色相を備えることを特徴とする反射型カラーディスプレイ。
【請求項６】
基板上に、電気泳動表示層と、光透過性電極層と、前記光透過性電極層の上の画素内に着色部と非着色部を有してなるカラーフィルタ層とがこの順で積層された反射型カラーディスプレイであって、
前記着色部の色相は、Ｄ６５光源を使用して透過光にて測定された、Ｌ*ａ*ｂ*表色系色度図における色度座標（ａ*、ｂ*）が「−２０≦ａ*≦２０」、「−７０≦ｂ*≦−３０」の各式を満たす青色色相と、前記Ｄ６５光源を使用して前記透過光にて測定された、前記Ｌ*ａ*ｂ*表色系色度図における色度座標（ａ*、ｂ*）が「−２０≦ａ*≦２０」、「３０≦ｂ*≦７０」の各式を満たす黄色色相と、を備えることを特徴とする反射型カラーディスプレイ。
【請求項７】
前記画素内の前記着色部と前記非着色部との面積比が１：１〜１：７であることを特徴とする請求項１の反射型カラーディスプレイ。
【請求項８】
前記画素に占める前記着色部の面積は、２５％以上であることを特徴とする請求項３の反射型カラーディスプレイ。
【発明の詳細な説明】
【技術分野】
【０００１】
本発明は、反射型カラーディスプレイに関し、より具体的には、電気泳動表示層を備えた反射型カラーディスプレイに関する。
【背景技術】
【０００２】
近年、画像表示パネルとして、バックライトを使用する液晶表示パネルが主流となっている。しかしながら、バックライトを使用する液晶表示パネルは、目に掛かる負担が大きくなるため、長時間見続ける用途には適していない場合がある。【０００３】
目の負担が小さい表示装置として、一対の電極間に電気泳動表示層を備える電気泳動式の反射型表示パネル、すなわち電子ペーパーが提案されている。この電気泳動式の表示パネルは、印刷された紙面と同様に、反射光によって文字や画像を表示するものであるため、目に対する負担が小さく、画面を長時間見続ける作業に適している。【０００４】
現在、電気泳動式の表示パネルは、構造上、白黒表示を主とする二色表示が主流である。しかしながら、電気泳動表示層上に、赤、緑、青の３原色の画素からなるカラーフィルタを設けて多色表示する表示装置が提案されている（例えば、特開２００３−１６１９６４号公報参照）。【０００５】
一方、電気泳動式の表示パネルに代表される反射型ディスプレイは、外光を利用して表示するため、パネルの輝度（明るさ）に対して制約がある。また、各画素内に赤、緑、青の３原色の着色部を持つカラーフィルタを備えて多色表示した場合には、カラーフィルタにより輝度が低下する場合がある。【０００６】
多色表示を実現する場合であっても、フルカラーではなく、白、黒のほかに１色の合計３色の表示で十分な用途が存在する。この場合、各画素内に着色部と非着色部（透明部）を配置することで、パネルの輝度（明るさ）を向上させることができる。しかしながら、各画素内に着色部と非着色部（透明部）を配置すると、着色部の色相と非着色部の色相（白／黒色相）とが混ざり合った色が観察者に観察されるため、一般的に、着色部が有する色相から色純度（鮮やかさ）が低下する傾向にある。
【発明の概要】
【発明が解決しようとする課題】
【０００７】
本発明は、上記事情に鑑みてなされたものであって、明るく、鮮やかなカラー表示を可能とする反射型カラーディスプレイを提供することを目的とする。
【課題を解決するための手段】
【０００８】
各態様において、反射型カラーディスプレイは、基板上に、電気泳動表示層と、光透過性電極層と、前記光透過性電極層の上の画素内に着色部と非着色部を含むカラーフィルタ層とがこの順で積層されることにより形成される。【０００９】
第１の態様において、着色部の色相は、Ｄ６５光源を使用して透過光にて測定された、Ｌ*ａ*ｂ*表色系色度図における色度座標（ａ*、ｂ*）が「３０≦ａ*≦７０」、「−２０≦ｂ*≦２０」の各式を満たす赤色色相を備える。【００１０】
第２の態様において、着色部の色相は、Ｄ６５光源を使用して透過光にて測定された、Ｌ*ａ*ｂ*表色系色度図における色度座標（ａ*、ｂ*）が「−７０≦ａ*≦−３０」、「−２０≦ｂ*≦２０」の各式を満たす緑色色相を備える。【００１１】
第３の態様において、着色部の色相は、Ｄ６５光源を使用して透過光にて測定された、Ｌ*ａ*ｂ*表色系色度図における色度座標（ａ*、ｂ*）が「３０≦ａ*≦７０」、「−２０≦ｂ*≦２０」の各式を満たす赤色色相と、Ｄ６５光源を使用して透過光にて測定された、Ｌ*ａ*ｂ*表色系色度図における色度座標（ａ*、ｂ*）が「−７０≦ａ*≦−３０」、「−２０≦ｂ*≦２０」の各式を満たす緑色色相とを備える。【００１２】
第４の態様において、着色部の色相は、Ｄ６５光源を使用して透過光にて測定された、Ｌ*ａ*ｂ*表色系色度図における色度座標（ａ*、ｂ*）が「−２０≦ａ*≦２０」、「−７０≦ｂ*≦−３０」の各式を満たす青色色相を備える。【００１３】
第５の態様において、着色部の色相は、Ｄ６５光源を使用して透過光にて測定された、Ｌ*ａ*ｂ*表色系色度図における色度座標（ａ*、ｂ*）が「−２０≦ａ*≦２０」、「３０≦ｂ*≦７０」の各式を満たす黄色色相を備える。【００１４】
第６の態様において、着色部の色相は、Ｄ６５光源を使用して透過光にて測定された、Ｌ*ａ*ｂ*表色系色度図における色度座標（ａ*、ｂ*）が「−２０≦ａ*≦２０」、「−７０≦ｂ*≦−３０」の各式を満たす青色色相と、Ｄ６５光源を使用して透過光にて測定された、Ｌ*ａ*ｂ*表色系色度図における色度座標（ａ*、ｂ*）が「−２０≦ａ*≦２０」、「３０≦ｂ*≦７０」の各式を満たす黄色色相とを備える。【００１５】
第７の態様において、第１，第２，第４，第５のいずれかの態様の反射型カラーディスプレイは、画素内の着色部と非着色部の面積比が１：１〜１：７としてもよい。【００１６】
第８の態様において、第３又は第６の態様の反射型カラーディスプレイは、画素内に占める着色部の面積が２５％以上としてもよい。
【発明の効果】
【００１７】
本発明の態様においては、色相を有する着色部と非着色部とによって実現される表示色により、明るく、鮮やかなカラー表示を可能とする反射型カラーディスプレイを提供することができる。
【図面の簡単な説明】
【００１８】
【図１】図１は、本実施形態に係る電気泳動式反射型カラーディスプレイの一例を示す断面図である。
【図２】図２は、本実施形態に係る電気泳動式反射型カラーディスプレイの色表示の状態の一例を示す斜視図である。
【図３】図３は、本実施形態に係る電気泳動式反射型カラーディスプレイの他の色表示の状態の一例を示す斜視図である。
【発明を実施するための形態】
【００１９】
以下、本発明の実施の形態について詳細に説明する。
【００２０】
図１は、本実施形態に係る電気泳動式反射型カラーディスプレイ１０の一例を示す断面図である。
【００２１】
電気泳動式反射型カラーディスプレイ１０は、表面に所定のパターンの画素電極１２を備える基板１１上に、接着層１３、電気泳動表示層１４、透明電極層（光透過性電極層）１５、インク定着層（図示せず）、インク定着層の上の画素内に着色部と非着色部とを備えたカラーフィルタ層１６、保護フィルム１７をこの順で積層した構成を持つ。
【００２２】
具体的には、この電気泳動式反射型カラーディスプレイ１０では、基板１１上に、接着層１３を介して電気泳動表示層１４が形成される。
【００２３】
画素電極１２は、それぞれのスイッチング素子（図示せず）に接続される。スイッチング素子の動作にしたがって、画素電極１２と透明電極層１５との間には、正又は負の電圧が印加可能である。
【００２４】
電気泳動表示層１４は、マイクロカプセル１４ａを、バインダー樹脂で固定して形成される。マイクロカプセル１４ａは、分散液中に電気泳動素子を分散した分散媒を封入して形成される。マイクロカプセル１４ａは、例えば、マイクロカプセル殻内に、電気極性の異なる２種類の粒子を、透明な分散媒中に分散させることにより、形成される。
【００２５】
上記電気極性の異なる２種類の粒子としては、例えば黒色粒子と白色粒子との組合せが用いられる。黒色粒子としては、例えば、無機炭素等の無機顔料、ガラス又は樹脂等の微粉末、又は、これらの複合体などが使用される。白色粒子としては、公知の酸化チタン、シリカ、アルミナ、酸化亜鉛等の白色無機顔料、酢酸ビニルエマルジョンなどの有機化合物、又は、これらの複合体などが使用される。
【００２６】
電気泳動表示層１４の上には、透明電極層１５、インク定着層、カラーフィルタ層１６、及び保護フィルム１７が順次積層される。
【００２７】
カラーフィルタ層１６は、着色部（着色層）（１色又は２色）及び非着色部を含む画素として形成される。着色部と非着色部とは、画素電極１２のパターンと対応して形成される。
【００２８】
カラーフィルタ層１６は、液晶表示装置用のカラーフィルタのように、着色レジスト膜のフォトリソグラフィーにより形成されてもよい。本実施形態のように、電気泳動式反射型ディスプレイに用いられるカラーフィルタは、受容層を形成し、該受容層に複数のインキを塗布することにより形成されてもよい。受容層は、樹脂を含む受容層形成用塗液を塗布することにより形成される。
【００２９】
受容層としては、ウレタン樹脂、ポリエステル、アクリル樹脂、ビニルアルコール樹脂等が用いられてもよい。また、受容層は、インキの溶媒の吸収性を高めるために、合成シリカ又はアルミナなどのような多孔質物質を含むとしてもよい。受容層は、例えば、枚葉処理を行うのであれば、スクリーン印刷法、オフセフト印刷法、スピンコート法、又は、ダイによる間歇塗工により、形成される。受容層は、例えば、ロールｔｏロールによる連続処理を行うのであれば、ダイコーテイング、コンマコート、カーテンコート、又は、グラビアコートなどの汎用の塗布技術により、形成される。塗工された後の受容層形成用塗液は、例えば、加熱又は送風等により乾燥される。
【００３０】
本実施形態に係るカラーフィルタ層１６の受容層へのインキの塗布方法としては、画素を区切るためのブラックマトリックスが形成されないため、色による塗り分けが必要であり、スクリーン印刷法、オフセット印刷法、又は、インクジェット印刷法などを用いることができる。これらのインキの塗布方法のうち、位置合せが容易であり生産性も高いことから、インクジェット印刷法を用いて、受容層にインキを吐出し、カラーフィルタを形成することが好ましい。
【００３１】
インクジェット印刷法としては、インキ吐出方法の相違によりピエゾ変換方式と熱変換方式があるが、ピエゾ変換方式の装置を用いることが望ましい。インクジェット装置のインクの粒子化周波数は５〜１００ｋＨｚ程度が望ましい。インクジェット装置のノズル径は、５〜８０μｍ程度が望ましい。インクジェット装置は、ヘッドを複数個配置し、１ヘッドにノズルを６０〜５００個程度組み込んだ装置が好ましい。
【００３２】
次に、図１に示す電気泳動式反射型カラーディスプレイ１０の動作原理について説明する。
【００３３】
画素電極１２に電圧が印加されると、電気泳動表示層１４のマイクロカプセル１４ａにかかる電界が移動する。画素電極１２が正極の場合、マイクロカプセル１４ａ内の負に帯電している粒子が画素電極１２側に移動し、正に帯電している粒子が透明電極層１５側に移動する。同様に、画素電極１２が負極の場合、マイクロカプセル１４ａ内の正に帯電している粒子が画素電極１２側に移動し、負に帯電している粒子が透明電極層１５側に移動する。
【００３４】
例えば黒色粒子が正に帯電し、白色粒子が負に帯電し、画素電極１２が負極の場合、図１に示すように、黒色粒子が画素電極１２側に移動し、白色粒子が透明電極層１５側に移動する。この場合、すべての光は、表面に白色粒子が存在するマイクロカプセル層で反射し、観察者はカラーフィルタ層１６を透過した光を観察することができる。
【００３５】
図２は、以上の動作原理に基づく本実施形態に係る電気泳動式反射型カラーディスプレイ１０Ａの色表示の状態の一例を示す斜視図である。電気泳動式反射型カラーディスプレイ１０Ａは、白黒表示の電気泳動表示層１４上に、例えば赤色相の着色部１Ｒと非着色部（透明部）Ｔを含む画素を備える。なお、図２では、画素内に配置される着色部と非着色部は、等方的に４分割されて矩形状に配列された場合を例として示している。
【００３６】
図２に示されている電気泳動式反射型カラーディスプレイ１０Ａにおいて、電気泳動表示層１４の１画素に対応する部分すべてを白表示とした場合、又は、電気泳動表示層１４の着色部１Ｒに対応する部分のみを白表示とした場合には、着色部１Ｒの色相と非着色部Ｔの白、又は、着色部１Ｒの色相と非着色部Ｔの黒色が混ざり合った色となり、着色部１Ｒの色相に類似した色が表示される。電気泳動表示層１４の着色部１Ｒに対応する部分のみを黒表示とした場合、非着色部Ｔを透過した光のみが反射されるため白表示となる。電気泳動表示層１４の１画素に対応する部分すべてを黒表示とした場合、画素内の全ての光が反射されずに黒表示となる。これにより、３色表示が可能となる。
【００３７】
このとき、着色部１Ｒは、その色相が、Ｄ６５光源を使用して透過光により測定された、Ｌ*ａ*ｂ*表色系色度図における色度座標（ａ*、ｂ*）が「３０≦ａ*≦７０」、「−２０≦ｂ*≦２０」の各式を満たす赤色色相であることが好ましい。
【００３８】
赤色色相が上記範囲にない場合、電気泳動表示層１４の１画素に対応する部分すべてを白表示とした場合、又は、電気泳動表示層１４の着色部１Ｒに対応する部分のみを白表示とした場合、例えば、「ａ*≦３０」であると、色表示の際の鮮やかさに劣り、白／黒表示と色表示（赤）のコントラスト（濃淡比）が得られない。一方、「ａ*≧７０」であると、色表示の際の明るさが十分に得られず、黒表示と着色表示（赤）のコントラスト（明暗比）が得られない。
【００３９】
同様に、着色部が緑色色相、青色色相、及び黄色色相である場合も同様に、各着色部の色相が、前記記載の色相を有する色相であることが好ましい。
【００４０】
画素内に配置される着色部と非着色部は、図２のように、等方的に４分割された矩形状に配列されたものを示しているが、これに限らず、等方的に分割された配列であればよい。
【００４１】
その際の着色部と非着色部の面積の割合については、１：１〜１：７の範囲となるものが好ましい。
【００４２】
着色部面積が小さい場合（全画素面積中の１２．５％未満）、色表示時の鮮やかさが劣り、適当な白／黒表示と着色表示のコントラスト（濃淡比）が得られない。一方、着色部面積が大きい場合（全画素面積中の５０％以上）、白表示の明るさが劣り、適当な白表示と黒表示のコントラスト（明暗比）が得られない。
【００４３】
図３に示す電気泳動式反射型カラーディスプレイ１０Ｂは、白黒表示の電気泳動表示層１４上に、例えば赤色相の着色部１Ｒと緑色相の着色部２Ｇと非着色部（透明部）Ｔとを含む画素を備える。
【００４４】
上記電気泳動式反射型カラーディスプレイ１０Ｂにおいて、電気泳動表示層１４の１画素に対応する部分すべてを白表示とした場合、着色部１Ｒと着色部２Ｇと非着色部Ｔとを透過した光が反射されて混ざり合った色が観察者に観察される。それぞれの着色部の色相が前記記載の色相を満たす場合、着色部１Ｒと着色部２Ｇとはそれぞれ補色関係にあり、混ざり合った色は白色表示となり、非着色部Ｔを透過した光と共に観察者に観察されるため、明るい白表示が得られる。
【００４５】
電気泳動表示層１４の着色部１Ｒ及び着色部２Ｇに対応する部分を黒表示とした場合も同様に白表示となる。しかしながら、この場合、１画素に対応する部分全てを白表示させて得られる場合と比較して、反射率（明るさ）が劣る。
【００４６】
電気泳動表示層１４の着色部１Ｒに対応する部分のみを白表示とした場合、又は、着色部２Ｇに対応する部分のみを黒表示とした場合、着色部１Ｒが有する色相に類似する赤表示が可能である。電気泳動表示層１４の着色部２Ｇに対する部分のみを白表示とした場合、又は、着色部１Ｒに対応する部分のみを黒表示とした場合、着色部２Ｇが有する色相に類似する緑表示が可能となる。
【００４７】
電気泳動表示層１４の１画素に対応する部分すべてを黒表示とした場合では、黒表示が可能であり、特に明るい白表示が可能であり、白／黒表示のコントラスト（明暗比）に優れる４色表示が可能な反射型ディスプレイを実現できる。
【００４８】
着色部１Ｒ、又は、着色部２Ｇが前記記載の色相を満たさない場合、電気泳動表示層１４の１画素に対応する部分すべてを白表示とした場合においては、着色部と非着色部との色相が混ざり合った色は白色表示とはならず、着色部が黒表示の場合のみ有効な白表示が実現されるため、白／黒表示のコントラスト（明暗比）は大きく劣ることになる。
【００４９】
着色部が青色相と黄色相を有する場合においても同様に、着色部の色相が前記記載の色相を有することで、白／黒表示のコントラスト（明暗比）に優れた４色表示が可能な反射型ディスプレイを実現できる。
【００５０】
１画素内に配置される着色部と非着色部とは、図３のように、等方的に４分割された矩形状に配列されたものを示しているが、これに限らず、等方的に分割された配列であればよい。その際の全画素内に占める着色部面積比は、２５％以上が好ましい。着色部面積比が小さい場合（着色部の面積比で２５％未満）、各色表示時の鮮やかさが劣り、適当な白／黒表示と各着色表示とのコントラスト（濃淡比）が得られない。
【００５１】
本実施形態にかかるカラーフィルタ形成のためのインキに関しては、着色材料、溶剤、樹脂、分散剤より形成される。
【００５２】
本実施形態で使用されるインキの着色材料は、有機顔料、無機顔料、染料などを問わず色素全般を使用することができる。好ましくは有機顔料が挙げられ、特に耐光性に優れていることが好ましい。具体的にはＣ．Ｉ．Ｐｉｇｍｅｎｔ  Ｒｅｄ  ９、１９、３８、４３、９７、１２２、１２３、１４４、１４９、１６６、１６８、１７７、１７９、１８０、１９２、２０８、２１５、２１６、２１７、２２０、２２３、２２４、２２６、２２７、２２８、２４０、２５４、Ｐｉｇｍｅｎｔ  Ｂｌｕｅ  １５、１５：６、１６、２２、２９、６０、６４、Ｃ．Ｉ．Ｐｉｇｍｅｎｔ  Ｇｒｅｅｎ  ７、３６、５６、Ｃ．Ｉ．Ｐｉｇｍｅｎｔ  Ｙｅｌｌｏｗ  ２０、２４、８６、８１、８３、９３、１０８、１０９、１１０、１１７、１２５、１３７、１３８、１３９、１４７、１４８、１５０、１５３、１５４、１６６、１６８、１８５、Ｃ．Ｉ．Ｐｉｇｍｅｎｔ  Ｏｒａｎｇｅ  ３６、７３、Ｃ．Ｉ．Ｐｉｇｍｅｎｔ  Ｖｉｏｌｅｔ２３等が使用されることができる。さらに、所望の色相を得るために２種以上の材料が混合して用いられてもよい。
【００５３】
本実施形態に係るカラーフィルタの赤色画素においては、色特性、分散性、耐光性などの観点から、ＰＲ１７７、ＰＲ２５４、又は、ＰＲ１７７とＰＲ２５４との組み合わせが好ましい。
【００５４】
本実施形態に係るカラーフィルタの緑色画素においては、色特性、分散性、耐光性などの観点から、ＰＧ７、ＰＧ３６、又は、ＰＧ７とＰＧ３６とＰＢ１５：３との組み合わせが好ましい。その場合、ＰＧ７又はＰＧ３６の重量比率が５０〜１００％、ＰＢ１５：３の重量比率が０〜５０％であることが好ましい。
【００５５】
本実施形態に係るカラーフィルタの青色画素においては、色特性、分散性、耐光性などの観点から、ＰＢ１５：６、又は、ＰＢ１５：６とＰＶ２３との組み合わせが好ましい。その場合、全顔料中のＰＢ１５：６の重量比率が５０〜１００％、ＰＶ２３の重量比率が０〜５０％であることが好ましい。
【００５６】
本実施形態に係るカラーフィルタの黄色画素においては、色特性、分散性、耐光性などの観点から、ＰＹ１５０、ＰＹ１３８、又は、ＰＹ１５０とＰＹ１３８とＰＯ７３との組み合わせが好ましい。その場合は、ＰＹ１５０及びＰＹ１３８の重量比率が３０〜１００％、ＰＯ７３の重量比率が０〜７０％であることが好ましい。
【００５７】
本実施形態に係るインキに使用される溶剤としては、インクジェット印刷における適性を考慮し、表面張力が３５ｍＮ／ｍ以下で、且つ、沸点が１３０℃以上のものが好ましい。表面張力が３５ｍＮ／ｍ以上の場合には、インクジェット吐出時のドット形状の安定性に著しい悪影響を及ぼす。沸点が１３０℃以下の場合には、ノズル近傍での乾燥性が著しく高くなり、ノズル詰まり等の不良が発生する場合がある。
【００５８】
具体的には、溶剤としては、２−メトキシエタノール、２−エトキシエタノール、２−ブトキシエタノール、２−エトキシエチルアセテート、２−ブトキシエチルアセテート、２−メトキシエチルアセテート、２−エトキシエチルエーテル、２−（２−エトキシエトキシ）エタノール、２−（２−ブトキシエトキシ）エタノール、２−（２−エトキシエトキシ）エチルアセテート、２−（２−ブトキシエトキシ）エチルアセテート、２−フェノキシエタノール、ジエチレングリコールジメチルエーテルなどが用いられる。しかしながら、溶剤はこれらに限定されるものではなく、上記要件を満たす溶剤であれば好ましく用いられ、また、必要に応じて２種類以上の溶剤が混合して用いられてもよい。
【００５９】
本実施形態で使用されるバインダー樹脂としては、例えばアクリル系樹脂、ノボラック系樹脂等が用いられる。
【００６０】
本実施形態に係る樹脂の一例のアクリル系樹脂としては、単量体（モノマー）として（メタ）アクリル酸、メチル（メタ）アクリレート、エチル（メタ）アクリレート、プロピル（メタ）アクリレート、ブチル（メタ）アクリレート、ベンジル（メタ）アクリレート、ラウリル（メタ）アクリレート、ヒドロキシエチル（メタ）アクリレート、ヒドロキシプロピル（メタ）アクリレート、エトキシエチル（メタ）アクリレート、グリシジル（メタ）アクリレート等のアルキル（メタ）アクリレートや、シクロヘキシル（メタ）アクリレート、イソボルニル（メタ）アクリレート、ジシクロペンテニル（メタ）アクリレート等の脂環式（メタ）アクリレート等の重合物が用いられるが、これらに限定されるものではない。これらのモノマーは、その１種単独で、または、２種以上で併用されてもよい。更に、これらアクリレートと共重合可能なスチレン、シクロヘキシルマレイミド、フェニルマレイミド、シクロヘキシルマレイミド、フェニルマレイミド、メチルマレイミド、エチルマレイミド、ｎ−ブチルマレイミド、ラウリルマイレミド等の化合物が共重合されてもよい。
【００６１】
また、アクリル系樹脂にエチレン性不飽和基が付加されてもよい。アクリル系樹脂にエチレン性不飽和基を付加する方法としては、グリシジルメタクリレート等のエポキシ含有樹脂にアクリル酸等のエチレン性不飽和基とカルボン酸含有化合物を付加する方法、メタアクリル酸等のカルボン酸含有樹脂にグリシジルメタアクリレート等のエポキシ含有アクリレートを付加する方法、又は、ヒドロキシメタアクリレート等の水酸基含有樹脂にメタクリロイルオキシエチルイソシアネート等のイソシアネート基含有アクリレートを付加する方法等が用いられるが、これらの例に限定されるものではない。
【００６２】
本実施形態に係る樹脂の一例のノボラック樹脂としては、フェノールノボラック系エポキシ樹脂、又は、クレゾールノボラック系エポキシ樹脂等が用いられる。
【００６３】
バインダー樹脂の質量平均分子量は、５００〜１００００の範囲内であることが好ましく、５００〜８０００の範囲内であることがより好ましい。バインダー樹脂の質量平均分子量が１００００を超えると、着色部の乾燥工程時にインキの流動性が不足し、パターン平坦性が劣る場合がある。バインダー樹脂の質量平均分子量が５００未満では、カラーフィルタに要求される耐溶剤性、耐熱性などの物性を満足させることが困難である。
【００６４】
着色材料の分散剤は、溶剤への顔料の分散性を向上させるために用いられる。分散剤として、例えば、イオン性、非イオン性界面活性剤などが用いられる。具体的には、分散剤としては、例えば、アルキルベンゼンスルホン酸ナトリウム、ポリ脂肪酸塩、脂肪酸塩アルキルリン酸塩、テトラアルキルアンモニウム塩、ポリオキシエチレンアルキルエーテル等が用いられる。分散材として、有機顔料誘導体、ポリエステルなどが用いられてもよい。分散剤は、１種類を単独で使用してもよく、又は、必要に応じて２種以上を混合して用いてもよい。
【００６５】
本実施形態に係るインキの粘度は、１〜２０ｍＰａ・ｓの範囲であることが好ましく、５〜１５ｍＰａ・ｓの範囲であることがより好ましい。もし、着色材料の粘度が２０ｍＰａ・ｓを超えると、インクジェット吐出時にインキが所定の位置に着弾しない不良が発生する場合があり、又は、ノズル詰りといった不良を招く場合がある。一方、インキの粘度が１ｍＰａ・ｓ未満の場合には、インキを吐出する際に、インキが飛散する場合がある。
【００６６】
以上説明した本実施形態に係る電気泳動式反射型カラーディスプレイ１０，１０Ａ，１０ｂは、明るく、色純度が良好であり、カラー色相と白及び黒の表示を可能とし、３色又は４色の表示を可能にする。
【００６７】
本実施形態は、発明の趣旨が変わらない範囲で様々に変更して適用することができる。
【００６８】
以下に、本発明の具体的な実施例について説明する。
【実施例】
【００６９】
［実施例１］
<電気泳動表示層の作製>
ポリエチレン樹脂で表面を被覆した平均粒径３μｍの酸化チタン粉末（白色粒子）と、アルキルトリメチルアンモニウムクロライドで表面処理された平均粒径４μｍのカーボンブラック粉末（黒色粒子）とをテトラクロロエチレンに分散し、分散液が得られる。この場合、白色粒子が負に帯電し、黒色粒子が正に帯電する。【００７０】
この分散液は、Ｏ／Ｗエマルジョン化され、ゼラチン−アラビアゴムによるコンプレックス・コアセルベ一ション法によりマイクロカプセルが形成される。そして、分散液がマイクロカプセル中に封入される。このようにして得られたマイクロカプセルが篩い分けされ、平均粒径が６０μｍ、５０〜７０μｍの粒径のマイクロカプセルの割合が５０％以上になるように、マイクロカプセルの粒径が揃えられる。【００７１】
次に、固形分４０質量％のマイクロカプセルの水分散液が調製される。この水分散液と、固形分２５質量％のウレタン系バインダー（ＣＰ−７０５０、大日本インキ株式会社製）と、界面活性剤と、増粘剤と、純水とが混合され、電気泳動層形成用塗液が作製される。この塗液が、ＩＴＯからなる画素電極１２が表面に形成された、例えばガラスなどの基板１１の上に塗布され、電気泳動表示層１４が形成される。【００７２】
この電気泳動表示層１４の上にＩＴＯからなる透明電極層１５が形成され、この透明電極層１５の上に、ポリエステル樹脂系の受容液（ＮＳ−１４１ＬＸ、高松油脂株式会社製）がコンマコーターを用いて連続塗工され、平均膜厚１０μｍの受容層が形成される。【００７３】
<顔料分散液の作製>
次に、着色材料が作製される。カラーフィルタの製造に用いられる着色材料に含まれる着色のための顔料として、例えば、表１に示す顔料が用いられる。表１に示す処方で、顔料がビーズミル分散により十分混連錬され、赤色顔料分散液、緑色顔料分散液、青色顔料分散液、及び黄色顔料分散液が作製される。
【表１】
2013141256.tif 000003
【００７４】
<着色材料の作製>
このようにして作製された顔料分散液に、バインダー樹脂、及び有機溶剤を加えて良く攪拌し、表２に示す６種のカラーフィルタ用着色材料（インクＡ〜Ｆ）が作製される。
【表２】
2013141256.tif 000004
【００７５】
<カラーフィルタ層１６の形成>
次に、電気泳動表示層１４の上に形成された受容層に対し、１２ｐｌ、１８０ｄｐｉ（２．５４ｃｍ当たり１８０ドット）ヘッド（セイコーインスツルメンツ（株）製）を搭載したインクジェット印刷装置を用いて、前記着色材料のインキＡが、各画素の所定の位置に塗工される。その後、熱風オーブンを用いて８０℃×５分の乾燥を実行することにより、着色部Ｒと非着色部Ｔとを含むカラーフィルタ層１６が形成される。【００７６】
また、画素内の着色部Ｒの透過光による色相確認を行うため、あらかじめ基材としてのガラスの上に前記受容層を形成した基材に対して、同様の塗工が実施された後、分光光度計にて色測定が行われる。【００７７】
その結果、実施例１に示すカラーフィルタが得られる。【００７８】
最後に、カラーフィルタ層１６の上に保護フィルム１７が形成され、電気泳動式反射型ディスプレイが完成される。【００７９】
［実施例２〜６］、［比較例１〜４］
実施例１と同様にして、表３に示したインキ、印刷条件の組合せで、実施例２〜６、および比較例１〜４のカラーフィルタが得られる。【００８０】
表３に示した結果から、以下のことが明らかである。【００８１】
すなわち、実施例１〜４に示す、赤色（ＲＥＤ）、緑色（ＧＲＥＥＮ）、青色（ＢＬＵＥ）、及び黄色（ＹＥＬＬＯＷ）相のいずれかと白／黒表示との３色表示が可能な場合、
各着色部の色相が、Ｄ６５光源を使用して透過光にて測定された、
Ｌ*ａ*ｂ*表色系色度図における色度座標（ａ*、ｂ*）が
ＲＥＤ      ：３０≦ａ*≦７０、−２０≦ｂ*≦２０
ＧＲＥＥＮ  ：−７０≦ａ*≦−３０、−２０≦ｂ*≦２０
ＢＬＵＥ    ：−２０≦ａ*≦２０、−７０≦ｂ*≦−３０
ＹＥＬＬＯＷ：−２０≦ａ*≦２０、３０≦ｂ*≦７０
の各式を満たし、
着色部と非着色部が１：１〜１：７の範囲である場合において、
電気泳動式反射型ディスプレイにおける白／黒、及び各色表示（Ｒ，Ｇ，Ｂ，Ｙ）を実施した場合、
明るさ（反射率）、及び色純度（彩度ｃ*）が良好であり、白／黒／カラー色表示におけるコントラストが良好な表示が得られる。【００８２】
すなわち、実施例５〜６に示す、赤色相及び緑色相、又は、青色相及び黄色相と、白／黒表示との４色表示可能な場合、
各着色部の色相が、Ｄ６５光源を使用して透過光にて測定された、
Ｌ*ａ*ｂ*表色系色度図における色度座標（ａ*、ｂ*）が
ＲＥＤ      ：３０≦ａ*≦７０、−２０≦ｂ*≦２０
ＧＲＥＥＮ  ：−７０≦ａ*≦−３０、−２０≦ｂ*≦２０
ＢＬＵＥ    ：−２０≦ａ*≦２０、−７０≦ｂ*≦−３０
ＹＥＬＬＯＷ：−２０≦ａ*≦２０、３０≦ｂ*≦７０
の各式を満たし、
前記画素内の着色部の占める面積比が２５％以上を占める場合において、
電気泳動式反射型ディスプレイにおける白／黒、及び各色表示（Ｒ，Ｇ，Ｂ，Ｙ）を実施した場合、
明るさ（反射率）、及び色純度（彩度ｃ*）が良好であり、白／黒／カラー色表示におけるコントラストが良好な表示が得られる。【００８３】
それ以外の比較例１〜４において、電気泳動式反射型ディスプレイにおける白／黒、及び各色表示（Ｒ，Ｇ，Ｂ，Ｙ）を実施した場合、明るさ（反射率）、及び色純度（彩度ｃ*）が不十分であり、白／黒／色表示におけるコントラストが良好な表示は得られない。
【表３】
2013141256.tif 000005
【図１】
2013141256.tif 000006
【図２】
2013141256.tif 000007
【図３】
2013141256.tif 000008
【国際調査報告】
2013141256.tif 000009
2013141256.tif 000010